(57)【要約】      （修正有）【課題】流通過程や保管時の衝撃や振動で、連結釘の巻回体の巻き崩れの発生がなく、使用時の整形作業も必要なく、しかも使用済後の処理も容易であり、安価な連結釘収納用板状体および連結釘用包装容器を提供する。【解決手段】包装容器内に、連結釘の巻回体の径に略対応する径の複数の嵌合孔が形成された板状体を設置し、この板状体の嵌合孔に連結釘の巻回体を装着して巻き崩れを規制し、位置を固定して収納する。【選択図】図１
0003122552.tif 000002
【実用新案登録請求の範囲】
【請求項１】
板状体に、連結釘の巻回体が装着される、連結釘の巻回体の径に略対応する径の複数の嵌合孔が形成され、容器内に設置し、この嵌合孔に連結釘の巻回体を装着して、連結釘の巻回体の巻き崩れを規制し、位置を固定することを特徴とする連結釘収納用板状体。
【請求項２】
前記板状体は、適所に高さ保持用の脚部を備えていることを特徴とする請求項１記載の連結釘収納用板状体。
【請求項３】
包装容器内に、連結釘の巻回体の径に略対応する径の複数の嵌合孔が形成された板状体を設置し、この板状体の嵌合孔に連結釘の巻回体が装着されて巻き崩れが規制され、位置が固定されて収納されていることを特徴とする連結釘用包装容器。
【請求項４】
前記板状体の嵌合孔に挿着された連結釘の巻回体は、包装容器内に複数段に積み重ねて収納されていることを特徴とする請求項３記載の連結釘用包装容器。
【請求項５】
前記板状体は高さ保持用の脚部を備え、板状体の嵌合孔に装着された連結釘の巻回体は、板状体の脚部により高さを保持して包装容器内に収納されていることを特徴とする請求項３または４記載の連結釘用包装容器。
【考案の詳細な説明】
【技術分野】
【０００１】
この考案は、自動釘打機のマガジンに装填されて使用される、多数の釘が渦巻き状に巻装された連結釘の収納用板状体及び包装容器に関する。
【背景技術】
【０００２】
自動釘打機には、長尺な合成樹脂製のテープや２本の針金で、多数本の釘を一定間隔の並列状に保持し、これを渦巻き状に巻装した連結釘（以下、連結釘の巻回体という）が、マガジンに装填されて使用される。このような自動釘打機に使用される連結釘の巻回体は、通常、複数（数個〜数十個）がダンボール箱等の包装容器に収納されて運搬や保管がなされているが、単に包装容器に収納しただけでは、流通過程における衝撃や振動で連結釘の巻回体が緩んだり、変形したり、連結釘同士が互いに絡み合ったりして、自動釘打機のマガジンに装填できなくなることが生じ、釘打ち現場で整形作業が必要となり、手数がかかる課題があった。
【０００３】
そこで、従来、このような流通過程での包装容器内での連結釘の巻き崩れ等を防止するものとして、図１２に示すような連結釘の巻回体１１を収納するのに適した大きさの凹部１４を多数形成した合成樹脂製のトレー１３を使用し、これを包装容器２内に設置し、これに連結釘の巻回体１１の一端部を嵌め込んで収納するものが提案されている。
【０００４】
また、連結釘の巻回体を２個１対として対向させて釘の軸部を咬み合わせるとき、両巻回体間に間隔保持部材を介在させ、咬み合わせた両巻回体の高さ寸法を一定化したもの（例えば、特許文献１参照）、
また、ダンボール箱の底面に表面が波状に連続する凹凸条を有する紙製の底敷用下敷きを敷設し、その下敷きの上に上下２段の連結釘の巻回体を積み重ね、その上下の巻回体間に差し込み用下敷きが差し込まれた包装箱（例えば、特許文献２参照）、
さらに、連結釘の釘先端が形成する面に適合した底面を有する凹部が形成された合成樹脂製の下ケースと、連結釘の釘頭が形成する面に適合した底面を有する凹部が形成された合成樹脂製の上ケースとが、ヒンジにより連結されている包装容器（例えば、特許文献３参照）、がそれぞれ提案されている。
【特許文献１】特開平６−１７１６８３号公報
【特許文献２】実開平７−２６３２２号公報
【特許文献３】特開２０００−４３９６５号公報
【考案の開示】
【考案が解決しようとする課題】
【０００５】
しかし、前記図１２に示す合成樹脂製のトレー１３は、合成樹脂材によってトレー１３を製造するので高価につくし、使用済後に産業廃棄物として残るため、その処理が必要となると共に、その費用も必要となる課題がある。
また、連結釘の巻回体を２個１対として釘の軸部先端を互いに向き合わせ、咬み合わせたものを、包装容器に収納するものは、高さ寸法を低くできるし、間隔保持部材を介在させると両巻回体の高さ寸法を一定にできる利点があるが、連結釘の巻回体を２個１対として軸部先端を互いに向き合わせ、咬み合わせたものを組として複数組を包装容器に収納するだけなので、流通過程における衝撃や振動で巻き崩れや巻回体の緩みが生じやすい課題、およびその後の整形作業に手数がかかる課題がある。
【０００６】
また、ダンボール箱の底面に表面が波状に連続する凹凸条を有する紙製の底敷用下敷きを敷設し、その下敷きの上に上下２段の連結釘の巻回体を積み重ね、その上下の巻回体間に差し込み用下敷きを差し込んだ包装構造は、連結釘の釘先が各下敷きの凹凸条に係合して流通過程における衝撃が振動に対抗しているだけなので、釘先の振動は阻止できるとしても軸部、頭部の揺れや振動は阻止できない。そのため流通過程での衝撃や振動により巻き崩れが生じやすい課題、およびその後の整形作業も必要が生ずる課題がある。
さらに、連結釘の釘先端が形成する面に適合した底面を有する凹部が形成された合成樹脂製の下ケースと、連結釘の釘頭が形成する面に適合した底面を有する凹部が形成された合成樹脂製の上ケースが、ヒンジにより連結されている包装容器は、連結釘の巻回体を小分けして少数を収納して現場等に持ち運びするものであるので、多くの連結釘の巻回体の運搬や保管には適さないし、合成樹脂製なので高価となる課題がある。これを多数収納できるように大きくするとすれば、製造費用は、さらに高価となる。しかも、合成樹脂なので使用済後には産業廃棄物として処理しなければならず、その費用も嵩む課題がある。
【０００７】
この考案は、このような課題に鑑み提案されたものであり、その目的は、流通過程や保管時の衝撃や振動で、連結釘の巻回体の巻き崩れの発生がなく、使用時の整形作業も必要なく、しかも使用済後の処理も容易であり、安価でもある連結釘収納用板状体および連結釘用包装容器の提供にある。
【課題を解決するための手段】
【０００８】
前記目的を達成するため、この考案の連結釘収納用板状体は、板状体に、連結釘の巻回体が装着される、連結釘の巻回体の径に略対応する径の複数の嵌合孔が形成され、容器内に設置し、この嵌合孔に連結釘の巻回体を装着して、連結釘の巻回体の巻き崩れを規制し、位置を固定することを特徴とするものである。
【０００９】
この連結釘収納用板状体は、板状体に連結釘の巻回体の径に略対応する径の複数の嵌合孔が形成されているので、連結釘の巻回体はこの嵌合孔に装着（嵌入）して収納することができる。従って、板状体は嵌合孔で連結釘の巻回体の巻き崩れを規制し、また、位置の固定をすることができる。これにより連結釘の巻回体は、衝撃や振動に対してもしっかりと保持され、崩れることがなく、運搬や保管ができる。
【００１０】
また、この考案の前記連結釘収納用板状体は、適所に高さ保持用の脚部を備えていることを特徴とする。
これにより嵌合孔に連結釘の巻回体が収納された板状体は、所定の高さを保持することが可能となる。
【００１１】
また、この考案の連結釘用包装容器は、包装容器内に、連結釘の巻回体の径に略対応する径の複数の嵌合孔が形成された板状体を設置し、この板状体の嵌合孔に連結釘の巻回体を装着して巻き崩れが規制され、位置が固定されて収納されていることを特徴とする。
【００１２】
上記によれば包装容器内に設置された板状体は、連結釘の巻回体の径に略対応する径の複数の嵌合孔が形成されているので、連結釘の巻回体は、板状体の各嵌合孔に装着して容器内に収納することができる。従って、収納された連結釘の巻回体は、板状体の嵌合孔に装着されているので、巻き崩れが規制され、かつ位置の固定がなされて容器内に収納される。これにより連結釘の巻回体は、板状体の嵌合孔により衝撃や振動に対してもしっかりと保持されるので、常に整列した収納状態を維持し、巻き崩れ等を生ずることなく運搬や保管ができる。
【００１３】
また、この考案の連結釘用包装容器は、前記板状体の嵌合孔に装着された連結釘の巻回体は、包装容器内に複数段に積み重ねて収納されていることを特徴とする。
これにより前記作用、効果の他に、１つの容器内に多数の連結釘の巻回体を収納することができる。
【００１４】
さらに、この考案の連結釘用包装容器の前記板状体は、高さ保持用の脚部を備え、板状体の嵌合孔に装着された連結釘の巻回体は、板状体の脚部により高さを保持して包装容器内に収納されていることを特徴とする。
これにより板状体の嵌合孔に装着された連結釘の巻回体は、板状体の脚部により高さを保持して包装容器に収納される。従って、釘先端の尖鋭部が容器の底面に押圧当接して容器底面を損傷したりすることがないし、容器内に複数段に積み重ねても、上下の巻回体の連結釘が接触して咬み合い崩れを生ずることも防止できる。
【考案の効果】
【００１５】
この考案の連結釘収納用板状体によれば、次のような効果を奏する。
（１）この連結釘収納用板状体は、板状体に連結釘の巻回体の径に略対応する径の複数の嵌合孔が形成されているので、連結釘の巻回体は、この嵌合孔に装着（嵌入）して収納して、巻き崩れを規制し、位置の固定をすることができる。
（２）従って、この連結釘収納用板状体を使用すれば、連結釘の巻回体を、衝撃や振動に対してもしっかりと保持し、崩れ、乱れを防止し、後の整形作業を不要とできる。
（３）この連結釘収納用板状体は、板状体で形成されているので、使用する容器の内径に合う形状に容易に対応させることができ、使用する容器を限定することなく使用できる。
（４）この連結釘収納用板状体は、板状体に嵌合孔を形成するだけなので、製造が容易で安価に提供できる。
（５）この連結釘収納用板状体が、紙製とすることができ、この場合は公害の問題もなく環境に優しく、使用後の処理も容易となり、しかも、さらに安価とすることができる。
（６）この連結釘収納用板状体は、高さ保持用の脚部を備えているので、板状体の嵌合孔に装着した連結釘の巻回体は、所定の高さを保持することが可能となる。
【００１６】
また、この考案の連結釘用包装容器によれば、次のような効果を奏する。
（７）包装容器内に設置された板状体は、連結釘の巻回体の径に略対応する径の複数の嵌合孔が形成されているので、連結釘の巻回体は、板状体の各嵌合孔に装着（嵌入）して容器内に収納することができる。したがって、収納された連結釘の巻回体は、板状体の嵌合孔に装着されているので、巻き崩れが規制され、かつ位置が固定されて容器内に収納される。
（８）これにより連結釘用包装容器の巻回体は、板状体の嵌合孔に装着されることにより衝撃や振動に対してもしっかりと保持されるので、常に整列した収納状態を維持し、巻き崩れ等を生ずることなく運搬や保管をすることができる。従って、また連結釘の巻回体の後整形も不要となる。
（９）板状体の巻回体に装着（嵌入）された連結釘の巻回体は、包装容器内に複数段に積み重ねて収納することができるので、１つの容器内に多数の連結釘の巻回体を収納することができる。
（１０）板状体の嵌合孔に装着された連結釘の巻回体は、板状体の脚部により高さを保持して包装容器内に収納することができる。
（１１）従って、釘先端の尖鋭部が容器の底面に押圧当接して容器底面を損傷したりすることもないし（この場合は、紙製の容器において効果が大きい。）、容器内に複数段に積み重ねても、上下の巻回体の連結釘が接触して咬み合い崩れを生ずることも防止できる。
（１２）包装容器は、例えばダンボール箱などの紙製のものが使用でき、また、板状体も紙製のものを使用できるので、使用後の処理も容易であるし、公害の問題もない。しかも安価に提供できる。
【考案を実施するための最良の形態】
【００１７】
以下、この考案の実施の形態を図面と共に詳細に説明する。図１はこの考案の実施の形態を示す連結釘用包装容器の一部破断斜視図、図２はこの考案の実施の形態を示す連結釘用包装容器の分解斜視図、図３はこの考案の実施の形態を示す連結釘用包装容器の断面図である。
【００１８】
この図面に示す連結釘用包装容器１は、包装容器２と、この包装容器２内に設置される板状体６とを備える。包装容器２は、本例ではダンボール箱を示し、開口４の周縁に蓋片５が連結され、連結釘の巻回体１１を収納した後に開口４を閉塞できるようになっている。
包装容器２内に設置される板状体６は、連結釘の巻回体１１の径（胴部の径）に略対応する径の嵌合孔７が複数形成されている。この板状体６の外形は、包装容器２の内形と略同じに形成されており、包装容器２内に合致して設置される。
包装容器２と板状体６の材質は、特に制限されるものではないが、使用後の処理において公害の問題もなく容易に処理でき、また、安価に提供できるということを考慮すると紙製が好ましい。
【００１９】
連結釘の巻回体１１は、包装容器２内に設置された板状体６の各嵌合孔７に装着（嵌入）して包装容器２に収納される。板状体６は、包装容器２内に合致して設置されているので包装容器２内で移動不可となっており、連結釘の巻回体１１は、板状体６の嵌合孔７に装着（嵌入）されている。嵌合孔７は連結釘の巻回体１１の径と略対応しているので、嵌合孔７に装着された連結釘の巻回体１１は、嵌合孔７内でほとんど移動できない。従って、板状体６の嵌合孔７に装着された連結釘の巻回体１１は、巻き崩れが規制され、かつ位置が固定されて包装容器２内に収納されることになる。
【００２０】
図面に示す本例では、板状体６の嵌合孔７に装着された連結釘の巻回体１１は、包装容器２内に２段に積み重ねて収納されている場合を示している。このような収納形態では、図３に示すように上段に位置する連結釘の巻回体１１と、下段に位置する連結釘の巻回体１１とが、互いに接触して咬み合い乱れが生じないともかぎらない。従って、このような場合は、図４に示すように上段に位置する連結釘の巻回体１１と、下段に位置する連結釘の巻回体１１との間に、紙板のような介在部材１２を介在させてもよい。
【００２１】
また、板状体６に高さ保持用の脚部８を設け、連結釘の巻回体１１を脚部８により高さを保持して収納するようにしても、前記の事態は解消できる。
図５乃至図９は、脚部を備える板状体の実施の形態を示す斜視図である。図５は板状体６が両端より垂下する脚部８を備え、この脚部８の長さが、巻回体１１の連結釘の長さの略半分の場合であり、図５に示すように各段に１個ずつ使用する。
図６は板状体６が両端より垂下する脚部８を備え、この脚部８の長さが、巻回体１１の連結釘の長さと略同等の場合である。この場合は下段の板状体６には脚部８がないものを使用できる。
図７は板状体６が両端より垂下する脚部８を備え、この脚部８の長さが比較的短く、かつ脚部８が垂下された端部以外の端部より立上がる立上り片９を備える場合である。この場合、脚部８と立上り片９で、上下段における高さを保持する。
図８および図９は板状体６が両端より垂下する脚部８を備え、この脚部８の下端を内側に折り込んで、安定性と補強を図ったものであり、図８は脚部８が長い場合、図９は脚部８が短い場合である。
このような脚部８を備える板状体６を使用することによって板状体６に装着した連結釘の巻回体１１の高さを保持することができる。
【００２２】
図１０は、前記図９に示す板状体６を使用して連結釘の巻回体１１を、包装容器２に収納した場合の断面図である。この図１０から理解できる通り、連結釘の巻回体１１が、板状体６で高さが保持されて収納され、上下段における連結釘が接触するのが防止される様子がよく理解できる。
また、図５および図６に示すように板状体６に保持されて収納された下段に位置する巻回体１１の連結釘は、その先端の尖鋭部が包装容器２の底面３に、重圧で押圧当接して底面３を損傷する場合がある。特に、包装容器２が紙製の場合は、その傾向が大きくなり、耐久性が低下する場合もある。このような場合にも前記のような脚部８を備える板状体６を使用すると有効である。
【００２３】
しかし、図１１に示すように連結釘の巻回体１１を２個１対として、巻回体１１の連結釘の先端を互いに向き合わせ、咬み合い状に組合わせ、これを板状体６の嵌合孔７に装着（嵌入）し、互いに咬み合っている部分を嵌合孔７の部分に位置させて収納するようにしてもよい。このようにしても対の巻回体１１、１１の連結釘の咬み合っている部分は、嵌合孔７に保持され巻き崩れも防止されるし、位置も固定される。この図１１に示す収納形態によれば、包装容器２の高さ寸法を低くすることが可能となるし、連結釘の長さが異なっても高さ寸法を一定化することができる利点がある。この考案は、このような実施の形態も包含する。
【００２４】
なお、前記実施の形態は、この考案を制限するものではなく、この考案は、要旨を逸脱しない範囲において種々の変形が許容される。
【図面の簡単な説明】
【００２５】
【図１】この考案の実施の形態を示す連結釘用包装容器の一部破断斜視図である。
【図２】この考案の実施の形態を示す連結釘用包装容器の分解斜視図である。
【図３】この考案の実施の形態を示す連結釘用包装容器の断面図である。
【図４】この考案の他の実施の形態を示す連結釘用包装容器の断面図である。
【図５】板状体を示す斜視図である。
【図６】他の板状体を示す斜視図である。
【図７】また他の板状体を示す斜視図である。
【図８】さらに他の板状体を示す斜視図である。
【図９】また更に他の板状体を示す斜視図である。
【図１０】この考案の更に他の実施の形態を示す連結釘用包装容器の断面図である。
【図１１】この考案のまた更に他の実施の形態を示す連結釘用包装容器の断面図である。
【図１２】従来例を示す分解斜視図である。
【符号の説明】
【００２６】
１  連結釘用包装容器
２  包装容器
３  包装容器の底面
４  包装容器の開口
５  包装容器の蓋片
６  板状体
７  嵌合孔
８  脚部
１１  連結釘の巻回体
【図１】
0003122552.tif 000003
【図２】
0003122552.tif 000004
【図３】
0003122552.tif 000005
【図４】
0003122552.tif 000006
【図５】
0003122552.tif 000007
【図６】
0003122552.tif 000008
【図７】
0003122552.tif 000009
【図８】
0003122552.tif 000010
【図９】
0003122552.tif 000011
【図１０】
0003122552.tif 000012
【図１１】
0003122552.tif 000013
【図１２】
0003122552.tif 000014